(57)【要約】【課題】デジタルカメラ等の撮影装置の操作系における操作の煩雑さを解消する。【解決手段】デジタルカメラのモニタに、複数のコマからなり、各コマが撮影済みであることおよび未撮影であることを視認可能に表す仮想フイルムを表示する。例えば回転ダイアル等の操作手段の操作により、仮想フイルム上における所望とするコマを選択する。選択したコマが撮影済みの場合、カメラモードを再生モードに切り替え、その画像の拡大画像を表示する。選択したコマが未撮影の場合、カメラモードを撮影モードに切り替える。【選択図】図４
2007174466.tif 000002
【特許請求の範囲】
【請求項１】
撮影により画像を取得する撮影手段と、該撮影により取得された画像を記録する記録手段とを備えた撮影装置において、
各種表示を行う表示手段と、
前記表示手段の表示内容を操作する操作手段と、
前記記録手段に記録可能な画像数に対応する複数のコマからなる仮想フイルムであって、各コマが撮影済みであることおよび未撮影であることを視認可能に表す仮想フイルムを前記表示手段に表示し、前記操作手段の操作によって前記仮想フイルム上においてカーソルを移動させることにより所望とされるコマの選択を受け付け、該選択されたコマが撮影済みであることを表す場合、カメラモードを再生モードに切り替えるとともに、該選択されたコマに対応する画像を拡大して前記表示手段に表示し、前記選択されたコマが未撮影であることを表す場合、前記カメラモードを撮影モードに切り替え、撮影後に前記選択されたコマを撮影済みであることを表すコマに変更するモード切替制御手段とを備えたことを特徴とする撮影装置。
【請求項２】
前記撮影済みであることを表すコマは、前記撮影により取得された画像の縮小画像であることを特徴とする請求項１記載の撮影装置。
【請求項３】
撮影により画像を取得する撮影手段と、該撮影により取得された画像を記録する記録手段と、
各種表示を行う表示手段と、
前記表示手段の表示内容を操作する操作手段とを備えた撮影装置における撮影方法であって、
前記記録手段に記録可能な画像数に対応する複数のコマからなる仮想フイルムであって、各コマが撮影済みであることおよび未撮影であることを視認可能に表す仮想フイルムを前記表示手段に表示し、
前記操作手段の操作によって前記仮想フイルム上においてカーソルを移動させることにより所望とされるコマの選択を受け付け、
該選択されたコマが撮影済みであることを表す場合、カメラモードを再生モードに切り替えるとともに、該選択されたコマに対応する画像を拡大して前記表示手段に表示し、
前記選択されたコマが未撮影であることを表す場合、前記カメラモードを撮影モードに切り替え、撮影後に前記選択されたコマを撮影済みであることを表すコマに変更することを特徴とする撮影方法。
【請求項４】
撮影により画像を取得する撮影手段と、該撮影により取得された画像を記録する記録手段と、
各種表示を行う表示手段と、
前記表示手段の表示内容を操作する操作手段とを備えた撮影装置における撮影方法をコンピュータに実行させるためのプログラムであって、
前記記録手段に記録可能な画像数に対応する複数のコマからなる仮想フイルムであって、各コマが撮影済みであることおよび未撮影であることを視認可能に表す仮想フイルムを前記表示手段に表示する手順と、
前記操作手段の操作によって前記仮想フイルム上においてカーソルを移動させることにより所望とされるコマの選択を受け付ける手順と、
該選択されたコマが撮影済みであることを表す場合、カメラモードを再生モードに切り替えるとともに、該選択されたコマに対応する画像を拡大して前記表示手段に表示する手順と、
前記選択されたコマが未撮影であることを表す場合、前記カメラモードを撮影モードに切り替え、撮影後に前記選択されたコマを撮影済みであることを表すコマに変更する手順とを有することを特徴とするプログラム。
【発明の詳細な説明】
【技術分野】
【０００１】
本発明は、撮影により画像を取得するデジタルカメラ等の撮影装置および撮影装置における撮影方法、並びに撮影方法をコンピュータに実行させるためのプログラムに関するものである。
【背景技術】
【０００２】
近年、デジタルカメラの多機能化に伴い、その操作方法が複雑化している。また、多機能化に応じて、カメラモードを撮影モードや再生モードに切り替えたり、撮影済みの画像のコマ送りを行うための各種操作ボタンの数を多くする必要があるため、デジタルカメラの背面等に操作ボタンを配置するための広いスペースが必要となってくる。
【０００３】
このため、ボタン操作の組み合わせに複数の機能を割り当てることにより、操作ボタンの数の増大を防止するようにしたデジタルカメラが提案されている（特許文献１参照）。具体的には、特許文献１に記載のデジタルカメラにおいては、レリーズボタンと他のボタンとの組み合わせにより、プリント枚数の指定等の操作を行うようにしている。また、カメラモードを設定するダイアルと、そのダイアルに設けられたジョイスティックとを組み合わせることにより、操作ボタン等の操作系をコンパクトにまとめるようにしたデジタルカメラも提案されている（特許文献２参照）。
【特許文献１】特開平１１−１５０６７３号公報
【特許文献２】特開２００１−２４５１８９号公報
【発明の開示】
【発明が解決しようとする課題】
【０００４】
しかしながら、上記特許文献１，２に記載されたデジタルカメラにおいては、各種操作ボタンに割り当てられた機能が、操作の条件に応じて動的に変化する。このため、操作が難解で複雑なものとなり、その結果、多くのユーザがデジタルカメラが有する機能を有効に利用できていないのが現状である。
【０００５】
本発明は上記事情に鑑みなされたものであり、デジタルカメラ等の撮影装置の操作系における操作の煩雑さを解消することを目的とする。
【課題を解決するための手段】
【０００６】
本発明による撮影装置は、撮影により画像を取得する撮影手段と、該撮影により取得された画像を記録する記録手段とを備えた撮影装置において、
各種表示を行う表示手段と、
前記表示手段の表示内容を操作する操作手段と、
前記記録手段に記録可能な画像数に対応する複数のコマからなる仮想フイルムであって、各コマが撮影済みであることおよび未撮影であることを視認可能に表す仮想フイルムを前記表示手段に表示し、前記操作手段の操作によって前記仮想フイルム上においてカーソルを移動させることにより所望とされるコマの選択を受け付け、該選択されたコマが撮影済みであることを表す場合、カメラモードを再生モードに切り替えるとともに、該選択されたコマに対応する画像を拡大して前記表示手段に表示し、前記選択されたコマが未撮影であることを表す場合、前記カメラモードを撮影モードに切り替え、撮影後に前記選択されたコマを撮影済みであることを表すコマに変更するモード切替制御手段とを備えたことを特徴とするものである。
【０００７】
なお、本発明による撮影装置においては、前記撮影済みであることを表すコマは、前記撮影により取得された画像の縮小画像であることが好ましい。
【０００８】
本発明による撮影方法は、撮影により画像を取得する撮影手段と、該撮影により取得された画像を記録する記録手段と、
各種表示を行う表示手段と、
前記表示手段の表示内容を操作する操作手段とを備えた撮影装置における撮影方法であって、
前記記録手段に記録可能な画像数に対応する複数のコマからなる仮想フイルムであって、各コマが撮影済みであることおよび未撮影であることを視認可能に表す仮想フイルムを前記表示手段に表示し、
前記操作手段の操作によって前記仮想フイルム上においてカーソルを移動させることにより所望とされるコマの選択を受け付け、
該選択されたコマが撮影済みであることを表す場合、カメラモードを再生モードに切り替えるとともに、該選択されたコマに対応する画像を拡大して前記表示手段に表示し、
前記選択されたコマが未撮影であることを表す場合、前記カメラモードを撮影モードに切り替え、撮影後に前記選択されたコマを撮影済みであることを表すコマに変更することを特徴とするものである。
【０００９】
なお、本発明による撮影方法をコンピュータに実行させるためのプログラムとして提供してもよい。
【発明の効果】
【００１０】
本発明によれば、記録手段に記録可能な画像数に対応する複数のコマからなる仮想フイルムが表示手段に表示される。この仮想フイルムにおいては各コマが撮影済みであることおよび未撮影であることが視認可能に表されている。そして、操作手段の操作によって仮想フイルムにおける所望とされるコマの選択が受け付けられた場合において、選択されたコマが撮影済みであることを表すものである場合、カメラモードが再生モードに切り替えられ、さらに選択されたコマに対応する画像が拡大されて表示される。一方、選択されたコマが未撮影であることを表す場合、カメラモードが撮影モードに切り替えられ、撮影後に選択されたコマが撮影済みであることを表すコマに変更される。
【００１１】
このため、ユーザは表示された仮想フイルムにおいて撮影済みのコマを選択すれば、カメラモードを再生モードに切り替えることができ、未撮影のコマを選択すればカメラモードを撮影モードに切り替えることができる。また、撮影モードに切り替えられた場合には、選択された画像が拡大表示される。したがって、操作手段を操作するという簡易な操作を行うのみで、再生モードおよび撮影モードの切り替え、さらには再生モードの場合には画像の表示を行うことができる。
【００１２】
また、撮影済みであることを表すコマを撮影により取得された画像の縮小画像とすることにより、仮想フイルム上においてカーソルを移動させることにより撮影済みの画像のコマ送り動作を行うことができる。
【発明を実施するための最良の形態】
【００１３】
以下、図面を参照して本発明の実施形態について説明する。図１は本発明の撮影装置の実施形態であるデジタルカメラの構成を示す図である。図１に示すように本実施形態によるデジタルカメラ１は、撮影された画像等の各種表示を行うモニタ１１と、電源のオン・オフを行う電源スイッチ１２と、レリーズボタン１３と、ズームを行うズームレバー１４とを備える。また、デジタルカメラ１は、後述するようにカメラモードを撮影モードおよび再生モードに切り替える回転ダイアル１５と、撮影モード時においてはマクロ撮影を行い、再生モード時においてはモニタ１１に再生されている画像を削除するための第１の操作ボタン１６と、撮影モード時においてはストロボをオン・オフし、再生モード時においてはモニタ１１に再生されている画像のプリント予約を行うための第２の操作ボタン１７とを有する。
【００１４】
ユーザはこれらのボタンを適宜操作して撮影を行い、撮影により取得した画像をデジタルカメラ１に内包されたメディアに記録することができる。また、ユーザはこれらのボタンを適宜操作してメディアに記録された画像を再生することができる。操作については後述する。
【００１５】
図２は本実施形態によるデジタルカメラの信号処理系を示す概略ブロック図である。デジタルカメラ１は、撮影レンズおよびＣＣＤ等からなり、被写体像をＣＣＤの受光面に結像させて光電変換してアナログの画像データとして出力する撮像部４０と、デジタルカメラ１全体の制御を行うとともに画像データのサンプリングタイミング制御、画像データの保存制御、通信制御および表示制御等の制御を行うＣＰＵ４２と、アナログ情報の画像データをデジタルの画像データに変換するＡ／Ｄ変換器４４と、画像サイズの変更、階調処理、色変換処理、濃度変換処理、シャープネス処理およびホワイトバランス調整処理等の画像処理を行う信号処理部４６と、ストロボ４８と、ストロボ４８の操作を制御するストロボ制御部５０と、図１に示すレリーズボタン１３、ズームレバー１４、回転ダイアル１５、第１および第２の操作ボタン１６等のユーザが情報を入力する際に用いる入力部５２と、入力部５２の設定情報を入力するインターフェースであるＩ／Ｏ５４とを備える。
【００１６】
また、デジタルカメラ１は、画像データをＪＰＥＧに代表される手法で圧縮したり、圧縮した画像データを解凍する圧縮解凍部５６と、デジタルカメラ１の本体内に内蔵されているメディア６０に画像データを保存したり読み出したりするために画像データを変換するメディアインターフェース６２とを備える。メディア６０は、半導体、磁気記録および光記録に代表される記録媒体である。
【００１７】
また、デジタルカメラ１は、画像データの転送を行うプログラムを含むＣＰＵ４２の動作プログラムや各定数が記憶されているＲＯＭおよびプログラム実行時の作業領域となる記憶手段であるＲＡＭにより構成されているシステムメモリ６４と、デジタルカメラ１の各種設定定数を電源遮断後も記憶し続けることが可能な書き替え可能な不揮発性メモリ６６と、タイマ撮影時に駆動されるタイマ６８と、現在の時刻を刻むカレンダ時計７０と、画像データや各種情報を通信によって送受信する場合に用いるＵＳＢ、ＩＥＥＥ１３９４、Ｅｔｈｅｒｎｅｔ（登録商標）等の規格の有線インターフェース７３と、画像データをモニタ１１に表示するためのＤ／Ａ変換等を行うモニタ制御部７４と、ＣＰＵ４２から指令される表示用の画像データを一時的に記憶しておくＶＲＡＭ等で構成されているフレームメモリ７６と、ＣＰＵ４２から指令されるコード情報を表示する文字やメッセージデータに変換して画像とともにオンスクリーンディスプレイするＯＳＤ７８とを備える。なお、電力を各部へ供給するバッテリ８０も備える。
【００１８】
有線インターフェース７３には通信コネクタ３２が接続されており、パソコン、プリンタ、写真店の店頭に設置されたプリント受付装置等の外部装置と画像データを含む各種情報の送受信を実施することが可能となっている。
【００１９】
そしてＣＰＵ４２がシステムメモリ６４に記録されているプログラムを実行することにより、モード切替制御手段として機能する。
【００２０】
次いで、本実施形態において行われる処理について説明する。図３は本実施形態において行われる処理を示すフローチャートである。ユーザが電源スイッチ１２をオンとしてデジタルカメラ１を起動することによりＣＰＵ４２が処理を開始し、モニタ１１に初期画面を表示する（ステップＳＴ１）。
【００２１】
図４は初期画面を示す図である。図４に示すように初期画面９０の上部には、複数のコマからなる仮想フイルム９１が表示されている。また初期画面９０においては、仮想フイルム９１上の最初のコマにカーソル９２が表示されて最初のコマが選択された状態となっている。
【００２２】
仮想フイルム９１は、デジタルカメラ１のメディア６０に記録可能な画像数に対応する複数のコマからなるものであり、各コマが撮影済みであることおよび未撮影であることを表示するようになっている。具体的には、撮影済みのコマについては、撮影された画像の縮小画像が表示され、未撮影の場合には黒で塗りつぶされた画像が表示される。なお、図４においては、仮想フイルム９１における最初の３コマに縮小画像が表示され、４コマ目以降が黒色となっているため、最初の３コマが撮影済みであり、４コマ目以降が未撮影であることが分かる。また、図４においては仮想フイルム９１上に６個のコマのみが表示されているが、実際にはより多くのコマが仮想フイルム９１に含まれており、回転ダイアル１５を回転することにより、現在表示されていないコマを表示することが可能である。
【００２３】
ここで、本実施形態においては、回転ダイアル１５を回転させることにより、仮想フイルム９１上においてカーソル９２を移動してコマを選択することができる。そして、カーソル９２により選択したコマが撮影済みである場合には、ＣＰＵ４２はカメラモードを再生モードに切り替え、カーソル９２により選択されているコマの拡大画像をモニタ１１に表示する。なお、図４に示す初期画面９０においては最初のコマがカーソル９２により選択されているため、最初のコマの拡大画像９３が初期画面９０に表示されている。
【００２４】
一方、図５に示すようにカーソル９２により選択したコマが未撮影である場合には、ＣＰＵ４２はカメラモードを撮影モードに切り替える。これにより、モニタ１１には撮影を行うためのファインダー画像が表示されることとなる。そして、撮影により画像を取得すると選択したコマは、撮影により取得した画像の縮小画像に変更される。なお、未撮影のコマは撮影済みのコマに続いて選択する必要はなく、例えば図６に示すようにユーザが所望とするコマを選択してもよいものである。この場合、撮影後に選択したコマが撮影により取得した画像の縮小画像に変更されることとなる。
【００２５】
ＣＰＵ４２はユーザにより仮想フイルム９１上のコマが選択されたか否かの監視を開始し（ステップＳＴ２）、ステップＳＴ２が肯定されると、選択されたコマが撮影済みか未撮影であるか否かを判定する（ステップＳＴ３）。撮影済みである場合には、ＣＰＵ４２はカメラモードを再生モードに切り替え（ステップＳＴ４）、選択されたコマに対応する画像をモニタ１１に表示する（ステップＳＴ５）。
【００２６】
一方、未撮影のコマが選択された場合には、ＣＰＵ４２はカメラモードを撮影モードに切り替え（ステップＳＴ６）、ユーザによる撮影操作を受け付ける（ステップＳＴ７）。
【００２７】
続いて、電源スイッチ１２をオフとすることによる終了の指示がなされたか否かを判定し（ステップＳＴ８）、ステップＳＴ８が否定されるとステップＳＴ２に戻り、ステップＳＴ２以降の処理を繰り返す。ステップＳＴ８が肯定されると、処理を終了する。
【００２８】
このように、本実施形態においては、仮想フイルム９１をモニタ１１に表示し、ユーザが回転ダイアル１５を回転することにより仮想フイルム９１上において選択したコマが撮影済みであることを表すものである場合、カメラモードを再生モードに切り替え、選択されたコマに対応する画像を拡大表示するようにしたものである。一方、ユーザが選択したコマが未撮影であることを表すものである場合、カメラモードを撮影モードに切り替え、撮影後に選択されたコマを撮影済みであることを表すコマに変更するようにしたものである。
【００２９】
このため、ユーザは表示された仮想フイルム９１において撮影済みのコマを選択すれば、カメラモードを再生モードに切り替えることができ、未撮影のコマを選択すればカメラモードを撮影モードに切り替えることができる。また、再生モードに切り替えられた場合には、選択された画像が拡大表示される。したがって、回転ダイアル１５を操作するという簡易な操作を行うのみで、再生モードおよび撮影モードの切り替え、さらには再生モードの場合には画像の表示を行うことができる。
【００３０】
また、撮影済みであることを表すコマを撮影により取得された画像の縮小画像とすることにより、仮想フイルム９１上においてカーソル９２を移動させることにより撮影済みの画像のコマ送り動作を行うことができる。
【００３１】
なお、上記実施形態においては、電源をオンとしてデジタルカメラ１を起動した際に仮想フイルム９１上において先頭のコマをカーソル９２により選択しているが、仮想フイルム９１上の未撮影のコマを選択するようにしてもよい。これにより、デジタルカメラ１の起動後、直ちに撮影を行うことが可能となる。
【００３２】
また、上記実施形態においては回転ダイアル１５の操作により再生モードおよび撮影モードの切り替え等を行っているが、モニタ１１の表示内容を操作可能であれば、レリーズボタン１３、ズームレバー１４等の他の操作手段を用いてもよいものである。
【図面の簡単な説明】
【００３３】
【図１】本発明の撮影装置の実施形態であるデジタルカメラの構成を示す図
【図２】本実施形態によるデジタルカメラの信号処理系を示す図
【図３】本実施形態において行われる処理を示すフローチャート
【図４】初期画面を示す図
【図５】未撮影のコマを選択した状態を示す図（その１）
【図６】未撮影のコマを選択した状態を示す図（その２）
【符号の説明】
【００３４】
１      デジタルカメラ
１１    モニタ
１２    電源スイッチ
１３    レリーズボタン
１４    ズームレバー
１５    回転ダイアル
１６    第１の操作ボタン
１７    第２の操作ボタン
９０    初期画面
９１    仮想フイルム
９２    カーソル
【図１】
2007174466.tif 000003
【図２】
2007174466.tif 000004
【図３】
2007174466.tif 000005
【図４】
2007174466.tif 000006
【図５】
2007174466.tif 000007
【図６】
2007174466.tif 000008